(57)【要約】  【課題】糞を掬い取る際に袋が邪魔にならず、しかも軟便であっても円滑に取り込むことができ、かつ糞が見えたり付いたりせず、ティシュペーパなどと一緒に水洗トイレに流せるようにする。  【解決手段】弾力で開き、ペットやヒトの糞を取る挟みの先端は、互いに対向しほぼ水平に伸びる掬い面を有するので、軟便であっても容易にかつ円滑に、シート製袋中に掬い取ることができる。しかも、前記掬い面と直角の開口支持部を包むように被せるシート製袋の開口が容易に離脱しないように、前記開口支持部に複数のスリットを鉛直方向に形成してあるので、前記スリットを利用してシート製袋の開口縁を挿入し引っ掛けることで、シート製袋の開口が容易に離脱する恐れは無い。【選択図】図３
2013051947.tif 000002
【特許請求の範囲】
【請求項１】
弾力で開く挟みの先端で糞を掬い取る器具であって、
前記先端の構成は、互いに対向しほぼ水平に伸びる掬い部を少なくとも有しており、
前記挟みを開閉するアーム又はアームのＵ状若しくはＶ状の連結部を利用して、前記掬い部に被せたシート製袋の底側の保持手段を設けたことを特徴とする糞取り器。
【請求項２】
弾力で開く挟みの先端で糞を掬い取る器具であって、
前記先端の構成は、互いに対向しほぼ水平に伸びる掬い部とほぼ直角の開口支持部を有しており、
前記掬い部と開口支持部を包むように被せたシート製袋の開口が容易に離脱しないように、前記開口支持部に複数のスリットを鉛直方向に形成してあることを特徴とする糞取り器。
【請求項３】
前記保持手段が前記シート製袋を挟む弾圧構造の挟みであって、前記挟みの弾圧面に、シート製袋が滑り易い材質のシート材を設けるか又は凹凸を埋めて平坦にして滑り易くしてあることを特徴とする請求項１に記載の糞取り器。
【請求項４】
前記アームと前記掬い部又は前記開口支持部とが別体であり、互いに連結することで一体化されていることを特徴とする請求項１から請求項３までのいずれかに記載の糞取り器。
【請求項５】
弾力で開く挟みを開閉するアーム又はアームのＵ状若しくはＶ状の連結部を利用して設けた保持手段でシート製袋の底側を保持した状態で、シート製袋の開口両側面により、互いに対向しほぼ水平に伸びる掬い部とほぼ直角の開口支持部を包むように被せて、糞を掬い取ってシート製袋の内部に取り込んだ後に、シート製袋の開口を開口支持部から外すと共に前記保持手段からシート製袋の底側を強引に引き取ることを特徴とする糞取り器の使用方法。
【発明の詳細な説明】
【技術分野】
【０００１】
犬猫のようなペットやヒトの糞を気持ち良く取ることができ、かつ糞は水洗式のトイレに流し、シート製袋だけをゴミ入れに捨てることができる、簡便な糞取り器に関する。
【背景技術】
【０００２】
愛犬などのペットを飼うと、従順な動物に癒されるなどの効果が有るが、糞の始末が面倒である。愛犬の糞取り器として紙製の袋に手を入れて掴み取り、次に裏返す技術が知られているが、糞の感触が伝わって来るので気持ち悪い。
スコップで掬い取る方法も有るが、糞が移動する場合は掬い取りにくい。そこで、特許文献１のように、器具を汚すことなく、ポリ袋等の袋の中に直接犬の糞を繰り返し取り込むことのできる、簡単な構造で低価格で提供可能な糞取り器具を提供するべく、上端がＵ字型に結合する一対の柄の下端が、接地側先端部分が内側に傾斜した適度な高さのある挟み掬い取り板を形成し、柄を傾斜させて使用する形状であり、挟み掬い取り板の外側の面に取り付けられた曲げ弾性を有するツメとそれを刺し通す穴で構成される袋装着機能を有する構造が提案されている。
【先行技術文献】
【特許文献】
【０００３】
【特許文献１】特開2001−352854
【発明の概要】
【発明が解決しようとする課題】
【０００４】
特許文献１のように、両側から挟み取る構造は、糞が移動したりせず便利だが、挟み掬い取り板の接地側先端部分が内側に傾斜しているため、下痢した場合のような軟便は掬い取り難いし、また袋自体が邪魔になって糞を取り難い。加えて、ペットとは言え、糞が見える状態で糞を袋に入れて糞取り器具と一緒に持ち歩くのは不格好であり勇気が要る。
本発明の技術的課題は、このような問題に着目し、ペットやヒトの糞を掬い取る際に袋が邪魔にならず、しかも軟便であっても円滑に取り込むことができ、かつ糞が見えたり付いたりせず、ティシュペーパなどと一緒に水洗トイレに流せるようにすることにある。
【課題を解決するための手段】
【０００５】
請求項１は、弾力で開く挟みの先端で糞を掬い取る器具であって、
前記先端の構成は、互いに対向しほぼ水平に伸びる掬い部を少なくとも有しており、
前記挟みを開閉するアーム又はアームのＵ状若しくはＶ状の連結部を利用して、前記掬い部に被せたシート製袋の底側の保持手段を設けたことを特徴とする糞取り器である。
【０００６】
請求項２は、弾力で開く挟みの先端で糞を掬い取る器具であって、
前記先端の構成は、互いに対向しほぼ水平に伸びる掬い部とほぼ直角の開口支持部を有しており、
前記掬い部と開口支持部を包むように被せたシート製袋の開口が容易に離脱しないように、前記開口支持部に複数のスリットを鉛直方向に形成してあることを特徴とする糞取り器である。
【０００７】
請求項３は、前記保持手段が前記シート製袋を挟む弾圧構造の挟みであって、前記挟みの弾圧面に、シート製袋が滑り易い材質のシート材を設けるか又は凹凸を埋めて平坦にして滑り易くしてあることを特徴とする請求項１に記載の糞取り器である。
【０００８】
請求項４は、前記アームと前記掬い部又は前記開口支持部とが別体であり、互いに連結することで一体化されていることを特徴とする請求項１から請求項３までのいずれかに記載の糞取り器である。
【０００９】
請求項５は、弾力で開く挟みを開閉するアーム又はアームのＵ状若しくはＶ状の連結部を利用して設けた保持手段でシート製袋の底側を保持した状態で、シート製袋の開口両側面により、互いに対向しほぼ水平に伸びる掬い部とほぼ直角の開口支持部を包むように被せて、糞を掬い取ってシート製袋の内部に取り込んだ後に、シート製袋の開口を開口支持部から外すと共に前記保持手段からシート製袋の底側を強引に引き取ることを特徴とする糞取り器の使用方法である。
【発明の効果】
【００１０】
請求項１のように、挟みを開閉するアーム又はアームのＵ状若しくはＶ状の連結部を利用して、前記シート製袋の底側を保持する手段を設けているので、シート製袋の底側が降下して邪魔になることは無く、シート製袋の中に円滑にペットやヒトの糞を取り込むことができる。
【００１１】
請求項２のように、弾力で開き、ペットやヒトの糞を取る挟みの先端の形状が、互いに対向しほぼ水平に伸びる掬い部を有するので、軟便であっても容易にかつ円滑に、シート製袋中に掬い取ることができる。
しかも、前記掬い面と開口支持部を包むように被せたシート製袋の開口が容易に離脱しないように、前記開口支持部に複数のスリットを鉛直方向に形成してあるので、前記スリットを利用してシート製袋の開口縁を挿入し開口支持部に引っ掛けることで、シート製袋の開口が容易に離脱することの無いように支持できる。
【００１２】
前記保持手段が前記シート製袋を挟む弾圧構造の挟みであるため、弾圧面と挟まれるシート製袋との間の摩擦が大きく、滑りにくいが、請求項３のように前記挟みの弾圧面にシート製袋が滑り易い材質のシート材を設けてあるため、ペットやヒトの糞をシート製袋中に取り込んだ後に、シート製袋を強引に引き取る際に容易にかつ確実に引き取ることができる。なお、シート材を設ける代わりに、凹凸を埋めて平坦にすることで滑り易くしてもよい。
【００１３】
アームに比べて掬い部や開口支持部の幅が大きいので、一体に製造すると、材料費が高価となり、またアームは弾力で開くので高価となるが、請求項４のように、アームと掬い部や開口支持部とを別々に製造した後、互いに連結することで一体化すると、高価なアーム側は大量生産で安価な器具を購入して来て使用でき、安価に実現できる。
【００１４】
請求項５のように、弾力で開く挟みを開閉するアーム又はアームのＵ状若しくはＶ状の連結部を利用して設けた保持手段でシート製袋の底側を保持した状態で、シート製袋の開口両側面により、互いに対向しほぼ水平に伸びる掬い部とほぼ直角の開口支持部を包むように被せた状態で、ペットやヒトの糞を掬い取ってシート製袋の内部に取り込むので、軟便であっても円滑に糞を掬い取ってシート製袋の中に入れることができる。
その後は、シート製袋の開口を、開口支持部から外して閉じると共に、前記保持手段からシート製袋の底側を強引に引き取るので、ペットやヒトの糞を取り込んだシート製袋の後始末が容易である。ペットやヒトの糞の上にティシュペーパを被せてから、ティシュペーパと一緒に糞を掬い取ると、掬い取った糞がシート製袋の外から見えることはないので、見苦しくない。
【図面の簡単な説明】
【００１５】
【図１】シート製袋を被せる前の糞取り器を示す斜視図である。
【図２】糞取り器にシート製袋を被せた途中状態を示す斜視図である。
【図３】スリットにシート製袋の開口を挿入した状態を示す斜視図である。
【図４】ペットの糞にティシュペーパを被せた状態を示す斜視図である。
【図５】別体のアーム側と開口支持部をリベット連結で一体化した実施形態を示す斜視図である。
【発明を実施するための形態】
【００１６】
次に本発明による糞取り器とその使用方法が実際上どのように具体化されるか実施形態を詳述する。図１はシート製袋を被せる前の糞取り器を示す斜視図である。１、２は開閉構造のアームであり、弾力で開くように、一対のアーム１、２がＵ状又はＶ状の支点12で一体に連結されているが、スペーサ等を挟んで接着したりネジ止めしてあってもよい。
アーム１、２の先端は、糞の掬い面３、４であるが、水平になっているか、わずかに傾いている。Ｄは掬い面３、４の奥行き方向の寸法であり、Ｗは掬い面３、４の幅方向の寸法である。
幅寸法Ｗが狭いと、せっかく掬い取った糞が両側からこぼれる恐れがあるので、幅寸法Ｗは充分に広い方がよい。しかし、10ｃｍも有れば充分である。
【００１７】
この掬い面３、４で直接に糞を掬い取ると、糞で器具が汚れるし、洗い落とす手間が要るので、図２のように、ビニール袋などのシート製袋５を被せるか、包むのがよい。この場合、シート製袋で掬い面３、４を包むだけでは、シート製袋の他の部分が下降して、糞を取りにくいので、シート製袋の底側を吊り上げてシート製袋の中を開けるための保持手段（洗濯挟み状で足りる）６を、両アーム１、２間の上側にゴム紐Ｇや紐などで取付けておくとよい。
シート製袋５の底側を挟み６等で弾圧保持し逆さにした状態で、残った開口側の部分を反転して、掬い面３、４とほぼ直角のＬ状の開口支持部９、10に被せて、図２の状態にする。さらに図３のように、開口縁を内側に二つ折りにして二重にすると共に、シート製袋５の開口縁をスリット７、８に挿入すると、スリット７、８の外側の爪部９、１０に引っ掛かって保持される。（なお、爪部９、１０の引っ掛かりを良くするために、爪部９、１０の上端縁を鋸歯状にすることもできる。）
【００１８】
次いで、シート製袋５の中の掬い面３、４側を押し開いて、中に糞が入り易くした後で、糞11の上に掬い面３、４間を位置させ、かつ掬い面３、４が接地するまでアーム１、２を保持して下降させてから、掬い面３、４をアーム１、２を操作して閉じると、糞11が掬い面３、４の上に掬い取られる。
そして、アーム１、２と共にシート製袋５を逆さに操作して、シート製袋５の開口を上向きにすると共に、シート製袋５の開口部を掬い面３、４とＬ状の開口支持部から離脱して閉じた後に、底部を強引に引っ張ると、底部が挟み６から抜けて、シート製袋５の中に糞11を入れた状態に、自由な状態となる。
【００１９】
こうして糞11をシート製袋５の中に入れるが、糞11がシート製袋５に付着し易い。特に、軟便の場合にその傾向が強い。また、シート製袋５が透明の材質の場合に、糞11が外から見えるので美的でない。
そのような場合は、図４のように、糞11の上にティシュペーパ13を１〜２枚置いて被せた状態で、ティシュペーパ13の上から、ティシュペーパ13と一緒に糞11を掬い取ると、ティシュペーパ13で糞11を包んだ状態で取り込まれるので、シート製袋５が糞11で汚れることは無く、水洗トイレにティシュペーパ13と糞11を一緒に捨てることが出来るし、糞11が見えないので、見苦しくない。
中の糞が見え難くするだけなら、不透明や半透明のシート製袋を使用すれば足りる。なお、シート製袋の材質は合成樹脂製がよいが、紙製も可能である。
【００２０】
合成樹脂製のシート製袋５を複数枚重ねて、１枚のように使用すると便利である。例えば、複数枚一緒だと、糞を取り込んだ後に、内側の１枚だけを引くと、内側の１枚たけが円滑に引き抜ける。
同様な考えで、保持手段の弾圧面にシート製袋と同じシートを貼り付けたり被せることもできる。洗濯挟みなどの弾圧面は多数の凹凸を形成して滑りを防いであるのが普通であるが、この凹凸を平坦にして滑り易くしてもよい。
この糞取り器は、動物に限らず、ヒトの便を処理する場合にも利用できる。認知症を患った高齢者を介護する際に下の世話が最も嫌がられるそうだが、本発明の糞取り器を利用すれば、便に直接に触れる必要は無いので、介護が楽になる。
なお糞取り器の材質は、アルミ板やステンレス板などの板金製でも良いし、合成樹脂製の板で製造してもよい。
【００２１】
図から明らかなように、アーム１、２に比べて掬い面３、４や開口支持部９・10、９・10の幅が大きいので、一体に製造すると無駄が生じ、材料費が高価となる。また、アーム１、２は弾力で開くので、製造が高価となる。
そこで、アーム１、２と掬い面３、４や開口支持部14、15とを別々に製造した後に、リベットＲ、Ｒやビス、溶接、接着などで互いに連結し、一体化する手法を採ると、安価になる。
例えば、弾力で開くため高価になるアーム１、２側は、大量生産で安価な器具を購入して来て流用すれば、安価に実現できる。
掬い面３、４や開口支持部14、15は、四角くカットしてＬ状に曲げれば足りるので、材料の無駄が無く、極めて容易にかつ安価に製造できる。
このように、連結して一体化する場合は、既製品のアーム１、２と開口支持部14、15との間に隙間ｇ、ｇが出来るので、シート製袋５の開口縁を挿入して支持するのに好都合である。従って、スリット７、８を設ける必要も無い。また、連結構造の場合、アーム１、２を合成樹脂製とし、開口支持部14、15を板金製にしてもよい。
【産業上の利用可能性】
【００２２】
以上のように、本発明によると、弾力で開く挟みの両アーム先端にシート製袋を被せてペットやヒトの糞を掬い取る際に、シート製袋の底部を保持する手段を備えているのでシート製袋が邪魔にならず、しかも互いに対向しほぼ水平に伸びる掬い面を設けてあるので、軟便であっても円滑に取り込むことができ、かつ糞が見えたり付いたりせず、ティシュペーパなどと一緒に水洗トイレに流すこともでき、衛生的である。
【符号の説明】
【００２３】
１・２  弾力で開くアーム
12  Ｕ状又はＶ状の連結部
３・４  糞の掬い面
５  シート製袋
６  保持手段（挟み）
Ｇ  紐やゴム紐
７・８  スリット
９・10  爪部（Ｌ状の開口支持部）
11  糞
13  ティシュペーパ
14・15  開口支持部
Ｒ  リベット
ｇ  隙間
【図１】
2013051947.tif 000003
【図２】
2013051947.tif 000004
【図３】
2013051947.tif 000005
【図４】
2013051947.tif 000006
【図５】
2013051947.tif 000007